【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
流体生成物（２）の計量分を分配するための流体ディスペンサー（１）であって：
該流体ディスペンサーが、
（ａ）流体生成物を収納するための収納チャンバー（５７）と；
（ｂ）該流体生成物を該ディスペンサーから分配させるための分配用出口（２７）と；
（ｃ）該分配用出口を介して分配される流体生成物の計量分を提供するようにされた計量チャンバー（７３）であって、この計量分の提供は該計量チャンバーの収縮状態(図２Ａ)と拡張状態(図２Ｄ)との間の動作によりなされ、該計量チャンバーの収縮状態から拡張状態への動作は該計量チャンバーと該収納チャンバーとを流体連通させ、該計量チャンバーは計量分と余剰分とからなる流体生成物の過剰量を該収納チャンバーから受入れるようにされたものである前記計量チャンバーと；
（ｄ）該流体生成物の余剰分を該計量チャンバーから放出させるようにしたブリード機構（５５ａ、５５ｂ）と；
（ｅ）該計量チャンバーをその拡張状態と収縮状態との間で移動操作させるための作動機構（１００）と；
を具備してなり；
（ｆ）該作動機構が、該ディスペンサーとの関連で所定の方向に移動する該ディスペンサーに装着された手動操作可能な作動部材（１０１）を有し；さらに
（ｇ）該作動機構が、該作動部材の所定方向への動きに応じて拡張状態および収縮状態をとる該計量チャンバーの周期的移動を生じるようにされたことを特徴とする、前記流体ディスペンサー。
【請求項２】
該計量チャンバーが、該ディスペンサー内に移動自在に装着された第１の部分を有する境界壁により画成され、それにより該計量チャンバーをその拡張状態と収縮状態との間で移動させるようにした請求項１記載のディスペンサー。
【請求項３】
前記計量チャンバーの境界壁の第１の部分および前記収納チャンバーが、該ディスペンサー内に移動自在に装着された容器ユニットにより具備されるものである請求項２記載のディスペンサー。
【請求項４】
前記計量チャンバーと、前記収納チャンバーとを流体連通させる移送孔が境界壁に設けられ、該計量チャンバーが拡張状態と収縮状態との間で移動することにより、該移送孔が選択的に開閉されるようになっている請求項１、２又は３記載のディスペンサー。
【請求項５】
前記移送孔が前記第１の部分に存在する請求項４記載のディスペンサー。
【請求項６】
前記移送孔が、前記計量チャンバーがその拡張状態と、収縮状態との間の中間状態にあるときに閉塞されるようになっている請求項４又は５記載のディスペンサー。
【請求項７】
前記計量チャンバーが中間状態にあるときの計量分に相当する、又は実質的に相当する容積を、該計量チャンバーが有している請求項６記載のディスペンサー。
【請求項８】
前記移送孔は、前記計量チャンバーがその中間状態と、収縮状態との間に移動したとき閉塞され、その中間状態と、拡張状態との間に移動したとき開口されるようになっている請求項６又は７記載のディスペンサー。
【請求項９】
前記境界壁が第２の部分を有し、前記第１の部分が該第２の部分に対してディスペンサー内を移動することにより前記計量チャンバーがその拡張状態と、収縮状態との間を移動可能となっている請求項１から８のいずれかの請求項に記載のディスペンサー。
【請求項１０】
前記第２の部分がディスペンサー内にて静止状態となっている請求項９記載のディスペンサー。
【請求項１１】
前記第２の部分が前記移送孔を選択的に開閉させるのに使用されるようになっている請求項４から８及び請求項９又は１０のいずれかの請求項に記載のディスペンサー。
【請求項１２】
前記計量チャンバーに排出孔が設けられていて、それを介して流体生成物の計量分が該計量チャンバーから分配出口に向って移送されるようになっている請求項１から１１のいずれかに記載のディスペンサー。
【請求項１３】
前記排出孔が前記計量チャンバーの境界壁の第２の部分に設けられている請求項９又は１０に従属する場合の請求項１２記載のディスペンサー。
【請求項１４】
前記容器ユニットが、使用時に前記計量チャンバーへの充填および前記計量チャンバーからの内容物排出のためのポンプ機構として操作されるようになっている請求項３又は請求項３に従属する場合の請求項４から１３のいずれかの請求項に記載のディスペンサー。
【請求項１５】
前記計量チャンバーの拡張状態から収縮状態への動きにより前記計量チャンバーと前記収納チャンバーとの間に圧力差を生じさせ、それにより液体生成物の過剰量を前記計量チャンバー内に導入させるようにした請求項１から１４のいずれかに記載のディスペンサー。
【請求項１６】
前記計量チャンバーの収縮状態から拡張状態への動きにより前記流体生成物の計量分を該計量チャンバーから汲出すようにした請求項１から１５のいずれかに記載のディスペンサー。
【請求項１７】
前記計量チャンバーが、その異なる状態間を繰返し移動自在となっていて、それにより流体生成物の計量分を繰返し分配するようにした請求項１から１６のいずれかに記載のディスペンサー。
【請求項１８】
更に弁機構を有し、これが使用時において、ブリード機構が流体生成物の余剰分を前記計量チャンバーから流出させるまで、分配出口を閉じたままの状態に維持するようになっている請求項１から１７のいずれかに記載のディスペンサー。
【請求項１９】
前記弁機構が、前記計量チャンバーが収縮状態に移動するとき前記分配出口を開口させるようになっており、この収縮状態が達成されたとき該分配出口を再び閉じるようになっている請求項１８記載のディスペンサー。
【請求項２０】
前記出口孔に弁機構を更に有し、これが流体生成物の計量分のみを前記分配出口に移送させるようになっている請求項１２，１３又は請求項１２に従属する場合の請求項１４から１７のいずれかに記載のディスペンサー。
【請求項２１】
前記弁機構が、前記ブリード機構が流体生成物の余剰分をそこから流出させたのち、前記計量チャンバーが収縮状態に移動するとき以外は出口孔を閉塞するよう構成されている請求項２０記載のディスペンサー。
【請求項２２】
前記弁機構が逆止め弁機構である請求項１８から２１のいずれかに記載のディスペンサー。
【請求項２３】
前記分配出口がディスペンサーのノズル内にある請求項１から２２のいずれかに記載のディスペンサー。
【請求項２４】
前記ノズルが吸い口又は鼻用ノズルとして構成されている請求項２３記載のディスペンサー。
【請求項２５】
前記ブリード機構が、使用時において、前記計量チャンバー内の流体生成物の余剰分を前記収納チャンバーに流出させるようになっている請求項１から２４のいずれかに記載のディスペンサー。
【請求項２６】
前記ブリード機構が、使用時に、流体生成物の余剰分を移送孔を介して前記収納チャンバーに流出させるようになっている請求項４に従属する場合の請求項２５記載のディスペンサー。
【請求項２７】
前記収納チャンバーが、前記計量チャンバーに移送される過剰量の流体に応答して拡張状態から収縮状態に移動するようになっている請求項１から２６のいずれかに記載のディスペンサー。
【請求項２８】
前記収納チャンバーが、そこに逆流される余剰分に応答して拡張状態に復帰するようになっている請求項２５又は２６に従属する場合の請求項２７記載のディスペンサー。
【請求項２９】
前記収納チャンバーが、
（ｉ）前記計量チャンバーの、その収縮状態から拡張状態への動きにより該計量チャンバーに移送される過剰量の流体に応答して、拡張状態から収縮状態へ移動し、さらに
（ii）前記計量チャンバーの、その拡張状態から収縮状態への動きにより該収納チャンバーに逆流される余剰分の流体に応答して、拡張状態に復帰するようになっており；また
前記弁機構が、該収納チャンバーをその拡張状態に戻すのに要する圧力よりも大きい開口圧閾値を有し、それにより該弁機構が流体生成物の余剰分を流出させる間において閉じたままの状態に維持されるようにしたことを特徴とする請求項１８から２２のいずれかに従属する場合の請求項２６記載のディスペンサー。
【請求項３０】
使用時において、前記流体生成物の過剰量を前記計量チャンバーに移送する前の収納チャンバーの拡張状態の容積が、前記余剰分の収納チャンバーへの再循環後の拡張状態の容積よりも大きいことを特徴とする請求項２８又は２９記載のディスペンサー。
【請求項３１】
前記収納チャンバーが、前記計量チャンバーの拡張状態と、収縮状態との間の動きにより生じた圧力により拡張状態と、収縮状態との間で変動するようになっている請求項２７から３０のいずれかに記載のディスペンサー。
【請求項３２】
前記収納チャンバーが、第１の部分と、第２の部分とを有する境界壁を有し、これら部分が相互との関係で移動自在になっていて、該収納チャンバーを拡張状態及び収縮状態にさせるようになっている請求項２７から３１のいずれかに記載のディスペンサー。
【請求項３３】
前記移送孔が収納チャンバーの境界壁の前記第１の部分内に設けられ、収納チャンバーの境界壁の前記第２の部分が該移送孔から離間している請求項４に従属する場合の請求項３２記載のディスペンサー。
【請求項３４】
使用時において、前記収納チャンバーの境界壁の前記第２の部分の前記移送孔からの離間の大きさが前記計量チャンバーの拡張状態と、収縮状態との間の動きの各サイクルの後に減少するようになっている請求項３３記載のディスペンサー。
【請求項３５】
前記収納チャンバーの境界壁の前記第２の部分が、該収納チャンバーの境界壁の前記第１の部分上に摺動自在に装着されている請求項３２から３４のいずれかに記載のディスペンサー。
【請求項３６】
前記収納チャンバーの境界壁の前記第２の部分が、該収納チャンバーの境界壁の前記第１の部分上に気密的に摺動自在に装着されている該収納チャンバーの末端壁部を具現化している、請求項３５記載のディスペンサー。
【請求項３７】
前記収納チャンバーの境界壁の前記第１の部分が、前記計量チャンバーの境界壁の前記第１の部分を含むものである請求項３２から３６のいずれかに記載のディスペンサー。
【請求項３８】
前記容器ユニットが、ディスペンサー内にて並進移動可能に設けられている請求項３又は請求項３に従属するいずれかの請求項に記載のディスペンサー。
【請求項３９】
軸を有し、それに沿って、前記計量チャンバーが移動し、その状態を変化させるようにした請求項１から３８のいずれかに記載のディスペンサー。
【請求項４０】
前記容器ユニットを前記軸に沿って並進させるようにした請求項３８又は３９に記載のディスペンサー。
【請求項４１】
前記軸上に前記収納チャンバーおよび前記計量チャンバーが配置されている請求項３９又は４０記載のディスペンサー。
【請求項４２】
前記軸上に前記出口孔が配置されている請求項１２に従属する場合の請求項３９から４１のいずれかに記載のディスペンサー。
【請求項４３】
前記軸上に前記分配用出口が配置されている請求項３９から４２のいずれかに記載のディスペンサー。
【請求項４４】
前記出口孔および前記分配用出口がディスペンサーの軸方向通路の対向端部に設けられている請求項４２又は４３記載のディスペンサー。
【請求項４５】
前記収納チャンバー、前記計量チャンバーおよび前記ノズルが、インライン（直列）構造で設けられている請求項２３又は請求項２３に従属するいずれかの請求項に記載のディスペンサー。
【請求項４６】
前記収納チャンバー、前記計量チャンバーおよび前記出口孔が、インライン（直列）構造で設けられている請求項１２又は請求項１２に従属するいずれかの請求項に記載のディスペンサー。
【請求項４７】
前記計量チャンバーの境界壁の前記第１の部分が前記計量チャンバーの境界壁の前記第２の部分上に摺動自在に設けられている請求項９又は請求項９に従属するいずれかの請求項に記載のディスペンサー。
【請求項４８】
前記計量チャンバーの境界壁の前記第１の部分が前記計量チャンバーの境界壁の前記第２の部分上に気密的に摺動自在に設けられている請求項４７記載のディスペンサー。
【請求項４９】
前記計量チャンバーの境界壁の前記第１の部分が、該計量チャンバーの軸方向に配向された側部の少なくとも１部を具現化している請求項３９から４４、４７又は４８のいずれかに記載のディスペンサー。
【請求項５０】
前記移送孔が前記計量チャンバーの軸方向に配向された側部に設けられている請求項４に従属する場合の請求項４９記載のディスペンサー。
【請求項５１】
前記計量チャンバーの境界壁の前記第１の部分が、前記計量チャンバーの可動末端壁を具現化している請求項２又は請求項２に従属するいずれかの請求項に記載のディスペンサー。
【請求項５２】
前記計量チャンバーの境界壁の前記第１の部分が略Ｕ字形をなしている請求項２又は請求項２に従属するいずれかの請求項に記載のディスペンサー。
【請求項５３】
前記計量チャンバーの末端壁がＵ字形の基部により具現化され、該計量チャンバーの側部がＵ字形のリムにより具現化されている請求項４９、５１又は５２記載のディスペンサー。
【請求項５４】
前記計量チャンバーの境界壁の前記第２の部分が、軸方向配向面を有する構造により具現化され、この軸方向配向面上に前記計量チャンバーの側壁が摺動自在に装着されている請求項９に従属する場合の請求項４９、５０又は５３記載のディスペンサー。
【請求項５５】
前記構造の軸方向配向面が外側表面である請求項５４記載のディスペンサー。
【請求項５６】
前記計量チャンバーの境界壁の前記第２の部分が前記計量チャンバーの末端壁を表している請求項９又は請求項９に従属するいずれかの請求項に記載のディスペンサー。
【請求項５７】
前記計量チャンバーの境界壁の前記第２の部分が略Ｕ字形構造により具現化されている請求項９又は請求項９に従属するいずれかの請求項に記載のディスペンサー。
【請求項５８】
前記Ｕ字形構造の基部が前記計量チャンバーの末端壁面を表し、該Ｕ字形構造のリムが軸方向配向面を表している請求項５４又は５５及び請求項５６及び５７のいずれかに記載のディスペンサー。
【請求項５９】
前記計量チャンバーの境界壁の前記第１の部分が、前記容器ユニットの外側表面内にて雌型窪みとして形成されている請求項３又は請求項３に従属するいずれかの請求項に記載のディスペンサー。
【請求項６０】
前記計量チャンバーの境界壁の前記第２の部分が、雄型突起として形成され、これが前記雌型窪み内に挿入されるようになっている請求項９に従属する場合の請求項５９記載のディスペンサー。
【請求項６１】
前記窪みが前記収納チャンバー内に延出している請求項５９又は６０記載のディスペンサー。
【請求項６２】
前記窪みが前記収納チャンバーにより囲まれている請求項６１記載のディスペンサー。
【請求項６３】
前記計量チャンバーが前記収納チャンバーの少なくとも一部により囲まれている請求項１から６２のいずれかに記載のディスペンサー。
【請求項６４】
前記収納チャンバーの少なくとも一部が前記計量チャンバーと同軸的に配置されている請求項６３記載のディスペンサー。
【請求項６５】
前記計量チャンバーがその収縮状態にあるとき、その容積がゼロ又は実質的にゼロである請求項１から６４のいずれかに記載のディスペンサー。
【請求項６６】
前記計量チャンバーの境界壁の前記第１および第２の部分が収縮状態において接触するようになっている請求項９に従属する場合の請求項６５記載のディスペンサー。
【請求項６７】
前記計量チャンバーの境界壁の前記第１および第２の部分が相補的形状をなしている請求項６６記載のディスペンサー。
【請求項６８】
前記計量チャンバーの境界壁の前記第１および第２の部分が収縮状態において入れ子式に重なるようになっている請求項６６又は６７記載のディスペンサー。
【請求項６９】
前記計量チャンバーの境界壁の前記第１の部分が、該計量チャンバーの収縮状態において出口孔を閉じるようになっている請求項１３又は請求項１３に従属するいずれかの請求項に記載のディスペンサー。
【請求項７０】
手持ち式のものである請求項１から６９のいずれかに記載のディスペンサー。
【請求項７１】
前記作動部材が容器ユニットに操作自在に結合され、該容器ユニットを移動させ、前記計量チャンバーの異なる状態間のサイクルを完了させるようになっている請求項３又は請求項３に従属するいずれかの請求項に記載のディスペンサー。
【請求項７２】
前記所定方向がディスペンサーとの関係で内側である請求項１から７１のいずれかに記載のディスペンサー。
【請求項７３】
前記作動部材が外側方向に付勢されている請求項７２記載のディスペンサー。
【請求項７４】
前記作動部材がトリガー部材である請求項１から７３のいずれかに記載のディスペンサー。
【請求項７５】
前記作動部材がディスペンサー上に枢着されている請求項１から７４のいずれかに記載のディスペンサー。
【請求項７６】
前記分配出口がディスペンサーの上端に位置し、前記作動部材がディスペンサーの側面に装着されている請求項１から７５のいずれかに記載のディスペンサー。
【請求項７７】
前記作動部材が、その下端に枢支点を有する請求項７５又は７６記載のディスペンサー。
【請求項７８】
前記計量チャンバーが収縮状態にある静止状態を有する請求項１から７７のいずれかに記載のディスペンサー。
【請求項７９】
静止状態において、前記容器ユニットがディスペンサー内における静止位置に配置され、前記作動機構により容器ユニットが１つのサイクルを通過するよう作動され、このサイクルは静止位置で開始され、かつ、終了し、更にプライミング位置を通過し、この位置で前記計量チャンバーが該作動機構の作動により拡張状態をとるようになっていることを特徴とする請求項３に従属する場合の請求項７８記載のディスペンサー。
【請求項８０】
前記作動機構が容器ユニットを静止位置に付勢させるようになっている請求項７９記載のディスペンサー。
【請求項８１】
前記収納チャンバー内に流体生成物を収納してなる請求項１から８０のいずれかに記載のディスペンサー。
【請求項８２】
前記流体生成物が液体、粘性生成物、粉体、及び気体からなる群から選択されるものである請求項８１記載のディスペンサー。
【請求項８３】
前記流体生成物が薬剤である請求項８１又は８２記載のディスペンサー。
【請求項８４】
前記流体生成物が保存剤無添加のものである請求項８１、８２又は８３記載のディスペンサー。
【請求項８５】
前記ブリード機構が、前記計量チャンバーの拡張状態から収縮状態への動きにより、流体生成物の余剰分を該計量チャンバーから流出させるようになっている請求項１から８４のいずれかに記載のディスペンサー。
【請求項８６】
前記作動機構が駆動構造を有し、これが使用時に、該作動部材の所定方向への移動に応答して、前記容器ユニットを第１の方向に駆動移動させるようになっていて、それにより前記計量チャンバーをその異なる状態の１つに向けて移動させるようになっている請求項３又は請求項３に従属するいずれかの請求項に記載のディスペンサー。
【請求項８７】
前記容器ユニットの第１の方向への移動が、前記計量チャンバーをその収縮状態から拡張状態に移動させるものである請求項８６記載のディスペンサー。
【請求項８８】
前記第１の方向が前記所定方向をほぼ横切る方向である請求項８６又は８７記載のディスペンサー。
【請求項８９】
前記駆動構造が前記作動部材に接続されていて、それにより移動されるようになっている請求項８６、８７又は８８記載のディスペンサー。
【請求項９０】
前記駆動構造が前記作動部材に枢着されている請求項８９記載のディスペンサー。
【請求項９１】
前記駆動構造が前記容器ユニットを前記第１の方向に押すようにしたプッシャー構造である請求項８６から９０のいずれかに記載のディスペンサー。
【請求項９２】
前記駆動構造が前記容器ユニットを前記第１の方向にカム作動させるカム構造である請求項８６から９１のいずれかに記載のディスペンサー。
【請求項９３】
前記作動構造が使用時に、作動部材の所定方向の動きの第１の段階において、前記計量チャンバーをその収縮状態から拡張状態に移動させるようになっていて、この第１の段階に続く該作動部材の所定方向の動きの第２の段階において該計量チャンバーをその収縮状態に戻すようになっている請求項１から９２のいずれかに記載のディスペンサー。
【請求項９４】
前記作動構造が付勢構造を有し、それにより前記計量チャンバーを収縮状態に付勢させるようになっていて、この場合、前記第１の段階において、前記計量チャンバーがこの付勢構造の付勢力に抗して拡張し、前記第２の段階において、該付勢力により該計量チャンバーをその収縮状態に戻すようになっている請求項９３記載のディスペンサー。
【請求項９５】
前記流体が液体であり、前記付勢構造の付勢力が、前記作動部材の所定方向への動きの第２の段階における前記計量チャンバーの収縮状態への復帰動によって、この液体の計量分を前記分配用出口から噴霧として分配させるのに十分な強さである請求項９４記載のディスペンサー。
【請求項９６】
前記付勢構造が前記容器ユニットに対し作用するようになっている請求項３に従属する場合の請求項９４又は９５に記載のディスペンサー。
【請求項９７】
前記第２の段階において、前記作動構造が前記容器ユニットから離脱し、前記付勢構造が前記計量チャンバーをその収縮状態に復帰させるようになっている請求項８６から９２のいずれかに従属する場合の請求項９４又は９５に記載のディスペンサー。
【請求項９８】
前記計量チャンバーが入口孔を有し、それを介して該計量チャンバーおよび前記収納チャンバーが互いに流体連通するようになっており、更に、入口弁機構が設けられていて、それが該入口孔と連動して該入口孔を選択的に開閉させるようになっており、該計量チャンバーがその収縮状態から拡張状態に移動したとき該入口弁機構が該入口孔を開口させるようになっている請求項１から９７のいずれかに記載のディスペンサー。
【請求項９９】
前記入口弁機構が逆止め弁である請求項９８記載のディスペンサー。
【請求項１００】
前記圧力差により、前記入口弁機構が前記入口孔を開口させるようになっている請求項１５に従属する場合の請求項９８又は９９記載のディスペンサー。
【請求項１０１】
前記入口弁機構が付勢機構を有し、それにより該入口弁機構を付勢させて前記入口孔を閉塞させるようになっている請求項９８、９９又は１００記載のディスペンサー。
【請求項１０２】
前記入口弁機構が、前記計量チャンバーの収縮状態から拡張状態への動きの初期段階において、前記入口孔を開口させるようになっている請求項９８から１０１のいずれかに記載のディスペンサー。
【請求項１０３】
前記計量チャンバーの収縮状態から拡張状態への動きにより、前記入口孔の開口時において、この開口された該入口孔が、流体生成物が前記収納チャンバーから該計量チャンバーへ導入される唯一の流路である請求項９８から１０２のいずれかに記載のディスペンサー。
【請求項１０４】
前記分配用出口が当該ユニットの分配用出口であり、使用時に、これを介して流体生成物の計量分を外部環境に分配させるようになっている請求項１から１０３のいずれかに記載のディスペンサーを有する分配ユニット。
【請求項１０５】
前記分配用出口が当該ユニットの内部出口であり、使用時に、これを介して流体生成物の計量分を当該ユニット内に分配させるようになっている請求項１から１０３のいずれかに記載のディスペンサーを有する装置ユニット。
【請求項１０６】
更に、該装置ユニットの周りの外部環境に開口する分配用出口と、前記内部出口を介して分配された流体生成物を該分配用出口を介して外部環境に搬送する手段とを具備してなる請求項１０５記載の装置ユニット。
【請求項１０７】
前記搬送手段が流体生成物の状態を変化させるようになっている請求項１０６記載の装置ユニット。
【請求項１０８】
前記搬送手段が振動素子を有し、ディスペンサーにより分配された液体をエアゾール化するようにした請求項１０６又は１０７記載の装置ユニット。
【請求項１０９】
前記振動素子が圧電素子である請求項１０８記載の装置ユニット。